(57)【要約】  【課題】  音響効果を十分に発揮することのできる自動演奏装置を提供する。  【解決手段】  複数の楽曲データを蓄積するとともに楽曲データを再生するＤＶＤ装置３およびＡＶアンプ４と、ＤＶＤ装置３およびＡＶアンプ４が再生する楽曲データを選択する操作部６８と、ＤＶＤ装置３およびＡＶアンプ４により再生される楽曲データを出力するスピーカ５ａ、５ｂと、スピーカ５ａ、５ｂが載置されるとともに、前面と背面を開放した箱型形状を有するスピーカ載置台２３と、ＤＶＤ装置３、ＡＶアンプ４、スピーカ５ａ、５ｂおよび前記スピーカ載置台２３を内蔵する前面パネル部６、側面板２および背面板７と、を備える。また、スピーカ５ａ、５ｂを側面板２の正面に対してそれぞれ側面側に所定の角度だけ向くように配置する。【選択図】  図２
2005166134.tif 000002
【特許請求の範囲】
【請求項１】
複数の楽曲データを蓄積するとともに楽曲データを再生する再生手段と、
前記再生手段が再生する楽曲データを選択する選択手段と、
前記再生手段により再生される楽曲データを出力するスピーカと、
前記スピーカが載置されるとともに、前面と背面を開放した箱型形状を有するスピーカ載置台と、
前記再生手段、前記スピーカおよび前記スピーカ載置台を内蔵する筐体と、を備えたことを特徴とする自動演奏装置。
【請求項２】
前記スピーカは、所定の間隔で隔てられた２つのスピーカから構成されるとともに前記筐体の正面に対してそれぞれ側面側に所定の角度だけ向くように配置されたことを特徴とする請求項１に記載の自動演奏装置。
【発明の詳細な説明】
【技術分野】
【０００１】
本発明は、装置内部にスピーカを備えた自動演奏装置に関するものである。
【背景技術】
【０００２】
従来の自動演奏装置は、装置内部にスピーカを一体的に備え、利用者が選択した楽曲の音声は装置内部のスピーカから発生するようになっている。（例えば、特許文献１参照）。
【特許文献１】特開２００３−１７３１９２号公報（第２図など）
【発明の開示】
【発明が解決しようとする課題】
【０００３】
しかしながら、従来の自動演奏装置は、スピーカが装置内に内蔵されているため自動演奏装置の配置場所によっては音響効果を十分に発揮できないという問題があった。
【０００４】
本発明は、このような従来の問題を解決するためになされたもので、音響効果を十分に発揮することのできる自動演奏装置を提供することを目的とする。
【課題を解決するための手段】
【０００５】
上記問題を解決するために、本発明の自動演奏装置は、複数の楽曲データを蓄積するとともに楽曲データを再生する再生手段（例えば、ＤＶＤ装置３およびＡＶアンプ４）と、前記再生手段が再生する楽曲データを選択する選択手段（例えば、操作部６８）と、前記再生手段により再生される楽曲データを出力するスピーカ（例えば、スピーカ５ａ、５ｂ）と、前記スピーカが載置されるとともに、前面と背面を開放した箱型形状を有するスピーカ載置台（例えば、スピーカ載置台２３）と、前記再生手段、前記スピーカおよび前記スピーカ載置台を内蔵する筐体（例えば、前面パネル部６、側面板２および背面板７）と、を備えたことを特徴とする。
【０００６】
また、本発明の自動演奏装置は、前記スピーカは、所定の間隔で隔てられた２つのスピーカから構成されるとともに前記筐体の正面に対してそれぞれ側面側に所定の角度だけ向くように配置されたことを特徴とする。
【発明の効果】
【０００７】
本発明は、スピーカが載置されるとともに、前面と背面を開放した箱型形状を有するスピーカ載置台と、スピーカを収納するとともに、前記再生手段、前記スピーカおよび前記スピーカ載置台を内蔵する筐体と、を備えたことにより、音響効果を十分に発揮することのできるという効果を有する自動演奏装置を提供することができる。
【発明を実施するための最良の形態】
【０００８】
以下、本発明の実施の一形態に係る自動演奏装置について、図面を用いて説明する。
【０００９】
まず、構成を説明する。図１乃至図４は、それぞれ本発明に係る自動演奏装置の正面斜視図、背面図、側面図、ブロック構成図を示す。なお、以下の説明において、ＤＶＤ装置３およびＡＶアンプ４は再生手段を構成し、操作部６８は選択手段を構成し、前面パネル部６、側面板２、背面板７は筐体を構成する。
【００１０】
自動演奏装置１は、複数の楽曲データを記録するＤＶＤ（デジタル・バーサタイル・ディスク）−ＲＯＭが装填されたＤＶＤ装置３と、ＤＶＤ装置３から送られる楽曲データを増幅するＡＶアンプ４と、ＡＶアンプ４により増幅された楽曲データを出力する左右２つのスピーカ５ａ、５ｂと、ＤＶＤ装置３及びＡＶアンプ４に指示入力をする操作部６８と、操作部６８からの指示に基づいてＤＶＤ装置３及びＡＶアンプ４等を制御する制御回路１２と、上記ＤＶＤ装置３、ＡＶアンプ４、制御回路１２およびスピーカ５ａ、５ｂを収納する側面板２、前面パネル部６および背面板７とを含んで構成される。側面板２は図２に示すように、両側部、逆Ｕ字形の上部および底部の部材から構成され、筐体に架かる荷重のほとんどを負担している。また、側面板２は棚板２２ａ、２２ｂ、２２ｃを有しており、ＤＶＤ装置３は棚板２２ｂに、ＡＶアンプ４は棚板２２ｃにそれぞれ載置される。棚板２２ａには正面からガラス窓６１ａを通して見ることのできる構造物、本実施形態では人形２１を載置するようになっている。ガラス窓６１ａはヒンジ６１を支点として開閉可能に設けられており、棚板２２ａに載置する構造物を交換することができるようになっている。
【００１１】
また、自動演奏装置１は、側面板２の正面を構成する前面パネル部６に、複数の照明を有する電飾照明部６４ａ、６４ｂを備えており、前面パネル部６に設けられた照明ボタン６２をオン操作することにより、制御回路１２の制御に基づいて電飾照明部６４ａ、６４ｂが点灯および消灯するようになっている。
【００１２】
また、前面パネル部６には主電源ボタン６３が設けられ、上記ＤＶＤ装置３、ＡＶアンプ４、電飾照明部６４ａ、６４ｂに供給する電源のオン操作及びオフ操作をするようになっている。
【００１３】
また、前面パネル部６には、ＤＶＤ装置３に再生させる楽曲の選択操作およびＡＶアンプ４の音量調整操作等をするための操作部６８が設けられている。操作部６８には数字の記された複数のキーが設けられ、楽曲の番号をキー入力することより楽曲の選択操作が行なわれる。操作部６８から入力された楽曲を示す情報（例えば、「曲名に付与された番号」）は赤外線により出力され、液晶表示部４１ａ、４１ｂに近接して設けられた図示しない赤外線受光部がこれを受光するようになっている。操作部６８の左右にはＤＶＤ−ＲＯＭが記録する楽曲の楽曲名および楽曲番号が記された曲名プレート６５が設けられており、利用者は操作部６８から楽曲番号を入力することにより所望の楽曲を再生するようになっている。なお、操作部６８と同様に構成され自動演奏装置１と別体の赤外線リモコンからの指示により楽曲の選択等をするようにしてもよい。
【００１４】
本発明の実施の一形態に係る自動演奏装置１の制御系を図４に示す。図４において、自動演奏装置１は、ＤＶＤ装置３と、ＡＶアンプ４と、スピーカ５ａ、５ｂと、制御回路１２と、操作部６８と、電飾ランプ６４ａ、６４ｂと、照明ボタン６２と、主電源ボタン６３と、で構成されている。ここで、操作部６８は、楽曲番号をＤＶＤ装置３又はＡＶアンプ４に送信し、ＡＶアンプ４は、この楽曲番号に応じてＤＶＤ−ＲＯＭに記憶されている楽曲データを取出す。また、ＡＶアンプ４は、音声出力端子から楽曲データを出力し、このデータは、制御回路１２、スピーカ５ａ、５ｂに入力される。制御回路１２は、これらの入力されたデータにより、電飾照明部６４ａ、６４ｂを制御している。ここで、制御回路１２は、これらの入力されたデータにより、電飾照明部６４ａ、６４ｂの点灯の要否を判断し、電飾照明部６４ａ、６４ｂの点灯、消灯を制御している。なお、制御回路１２は、１つの楽曲の演奏が終了する度に電飾照明部６４ａ、６４ｂを消灯させるように制御してもよい。
【００１５】
また、自動演奏装置１は、前面と背面を開放した箱型のスピーカ載置台２３を備えており、スピーカ５ａ、５ｂはこのスピーカ載置台２３に載置される。スピーカ載置台２３の奥行は側面板２の奥行より短くなるように設定し、スピーカ載置台２３を側面板２の前方部に配置されることにより、スピーカ載置台２３と側面板２の背面との間には空間が形成されるようになっている。これにより、自動演奏装置１の側面板２底面からの振動をスピーカ載置台２３が吸収するため、側面板２底面からの振動がスピーカ５ａ、５ｂに与える影響を減少させ、音響効果を向上させることができる。また、スピーカ５ａ、５ｂが発声する音声振動が側面板２を介してＤＶＤ装置３やＡＶアンプ４に伝達するのを防止することにより音響効果を向上させることができる。更に、スピーカ５ａ、５ｂの背面からの音声、特に低音成分が、スピーカ載置台２３と背面板７との間の空間を回りこんで矢印７２で示すようにスピーカ載置台２３の前方に抜けるようになっているので、更に音響効果を向上させることができる。また、スピーカ載置台２３は、前面と背面を開放した箱型の形状を有するので、側面板２底部の通気性が向上し自動演奏装置１に悪影響を及ぼす恐れのある湿気が溜まるのを防止することができる。なお、スピーカ５ａ、５ｂは、スピーカ載置台２３の前方部、すなわち前面パネル部６に近い位置に２つのスピーカ５ａ、５ｂの間隔が最大限広くなるように載置するとともに、側面板２の正面に対してそれぞれ側面側（スピーカ５ａ、５ｂから見てそれぞれ側面板２の方向）に５度だけ向くようにすることが好ましい。これにより、スピーカ５ａ、５ｂから発声する音声の臨場感を向上させることができる。
【００１６】
このような本発明の実施の一形態に係る自動演奏装置１によれば、スピーカ５ａ、５ｂが載置されるとともに、前面と背面を開放した箱型形状を有するスピーカ載置台２３と、ＤＶＤ装置３、ＡＶアンプ４、スピーカ５ａ、５ｂおよび前記スピーカ載置台２３を内蔵する前面パネル部６、側面板２および背面板７と、を備えたことにより、自動演奏装置１の側面板２底面からの振動をスピーカ載置台２３が吸収するため、側面板２底面からの振動がスピーカ５ａ、５ｂに与える影響を減少させ、音響効果を向上させることができる。また、スピーカ５ａ、５ｂの背面からの音声、特に低音成分が、スピーカ載置台２３と背面板７との間の空間を回りこんでスピーカ載置台２３の前方に抜けることになり、音響効果の向上が期待できる。
【００１７】
また、上述した実施形態によれば、所定の間隔で隔てられたスピーカ５ａ、５ｂを側面板２の正面に対してそれぞれ側面に向くように配置したので、スピーカ５ａ、５ｂから発声する音声の臨場感の向上が期待できる。
【図面の簡単な説明】
【００１８】
【図１】本発明の実施の一形態に係る自動演奏装置の外観を示す正面斜視図である。
【図２】本発明の実施の一形態に係る自動演奏装置の背部の外観を示す背面図である。
【図３】本発明の実施の一形態に係る自動演奏装置の内部配置を示す側面図である。
【図４】本発明の実施の一形態に係る自動演奏装置の要部構成を示すブロックである。
【符号の説明】
【００１９】
１  自動演奏装置
２  側面板（筐体）
３  ＤＶＤ装置（再生手段）
４  ＡＶアンプ（再生手段）
５ａ、５ｂ  スピーカ
６  前面パネル部（筐体）
７  背面板（筐体）
２１  人形（構造物）
２２ａ、２２ｂ、２２ｃ  棚板
２３  スピーカ載置台
４１ａ、４１ｂ  液晶表示部
６１  ヒンジ
６１ａ  ガラス窓
６２  照明ボタン
６３  主電源ボタン
６４ａ、６４ｂ  電飾照明部
６８  操作部（選択手段）
【図１】
2005166134.tif 000003
【図２】
2005166134.tif 000004
【図３】
2005166134.tif 000005
【図４】
2005166134.tif 000006